(57)【要約】【課題】ブランクキーの候補を検索するに際して、元鍵と一致している必要のある位置決め用の溝の本数および位置についての検索情報を簡単に入力できるようにする。【解決手段】複製の依頼を受けた者が操作する端末３と、端末３とインターネット５を介して接続されるサーバー２とからなる。サーバー２は制御部２１と記憶部２０とを有する。記憶部２０には、それぞれのブランクキーと複数の検索項目にわたる検索情報とを対応付けるとともに、各ブランクキーについて名称および形態に関わる詳細情報を蓄積するデータベースが記憶される。検索項目にはブランクキーに設けられる位置決め用の溝の本数と位置とを特定することが可能な溝コードが含まれる。制御部２１は、端末３より送られてきた検索情報により検索を行ってブランクキーの候補を抽出し、そのブランクキーの候補の詳細情報をデータベースより取得して端末３へ送信する。【選択図】図１
2015052242.tif 000002
【特許請求の範囲】
【請求項１】
複製元の鍵から得られる少なくとも１個の検索情報によって検索を行うことにより複数のブランクキーの中から複製に供するブランクキーの候補を抽出するシステムであって、複製依頼を受けた者によって操作される端末と、端末とインターネットを介して接続されるサーバーとからなり、前記サーバーは制御部と記憶部とを有し、前記記憶部には、複数のブランクキーについてそれぞれのブランクキーを検索するための複数の検索項目にわたる検索情報とそれぞれのブランクキーとを対応付けるとともに各ブランクキーについて名称および形態に関わる詳細情報を蓄積するデータベースが記憶され、前記制御部は、前記端末より送られてきた前記検索情報により検索を行って複製に供するブランクキーの候補を抽出する手段と、抽出されたブランクキーの候補の前記詳細情報を前記データベースより取得する手段と、取得した詳細情報を前記端末へ送信する手段とを備えており、前記検索項目には、ブランクキーのブレード部分に設けられる位置決め用の溝の本数と位置とを特定することが可能な溝コードが含まれているブランクキー検索システム。
【請求項２】
前記溝コードは、溝の本数と位置とに加えて、さらに溝形状を特定することが可能な構成のものである請求項１に記載されたブランクキー検索システム。
【請求項３】
前記端末は、パソコンと携帯端末とを含んでいる請求項１に記載されたブランクキー検索システム。
【発明の詳細な説明】
【技術分野】
【０００１】
この発明は、複製元の鍵から得られる検索情報によって検索を行うことにより複数のブランクキーの中から複製に供するブランクキーの候補を抽出するブランクキー検索システムに関する。
【背景技術】
【０００２】
玄関の扉錠、ロッカーの扉錠、自動車の錠などについて、必要数に応じて、或いは予備的に、施錠、解錠のための鍵を複製することが一般に行われている。鍵の複製などを行う業者は、鍵の複製依頼があると、複製元の鍵（以下「元鍵」という。）を預かり、合鍵切削機を用いて鍵の複製を行って合鍵を製作する。その種の合鍵切削機は、元鍵をサンプルとし、そのサンプルとブランクキーと呼ばれる鍵素材（以下「ブランクキー」という。）とを合鍵切削機にセットした後、サンプルのブレード部分の鍵山を倣い機構によりトレースしながらブランクキーのブレード部分の側縁を切削刃により切削する。この切削加工によりブランクキーのブレード部分に元鍵と同じ凹凸の鍵山が刻設される（例えば、特許文献１参照）。
【０００３】
上記した切削作業に先立ち、既成の多種類のブランクキーの中から複製に適したブランクキーを選ぶ必要がある。ここで、「複製に適したブランクキー」とは、図１４に示すような元鍵１とブレード部分１１の板厚Ｔ、幅Ｄ、および長さＬがほぼ等しく、位置決め用の溝１０の本数や位置が一致するブランクキーである。そのようなブランクキーであれば、加工工数が少なくて済み、鍵の複製依頼に迅速に対応できる。前記位置決め用の溝は、ブレード部分１１の表裏の両面または片面に長さ方向に沿って設けられ、錠の鍵孔に対する鍵の挿入が正規の位置でなされるように鍵孔の内面に設けられた位置決め用の突起に係合するものである。なお、ブランクキーの候補が複数抽出されたときは、ヘッド部分１２のデザインなど、依頼者の好みに応じたものが選定される。
【先行技術文献】
【特許文献】
【０００４】
【特許文献１】特開２００５−１１８９５０号公報
【発明の概要】
【発明が解決しようとする課題】
【０００５】
鍵の複製業者は、多数のブランクキーについてのリストを用意しておき、鍵の複製依頼があったとき、前記リストの中から、或いは予め取り揃えた多種類のブランクキーの中から、複製に供するブランクキーの候補を抽出するが、その種の抽出作業には専門的な知識と長年の経験とを必要とし、もし熟練者でなければ、ブランクキーの候補選びに多大の時間と手数とがかかり、鍵の複製依頼に迅速に対応できないという問題がある。
【０００６】
この発明は、上記の問題に着目してなされたもので、インターネットを利用したブランクキー検索システムを構築し、元鍵より得られる検索情報を端末から入力するだけで複製に供するブランクキーの候補を抽出できるようにすることにより、熟練者でなくても容易かつ短時間でブランクキーの候補選びを可能としたブランクキー検索システムを提供することを目的とする。
この発明が他に目的とするところは、ブランクキーの候補を検索するに際して、元鍵と一致している必要のある位置決め用の溝の本数および位置、さらには、形状についての検索情報を簡単に入力できるブランクキー検索システムを提供することにある。
【課題を解決するための手段】
【０００７】
この発明によるブランクキー検索システムは、複製元の鍵から得られる少なくとも１個の検索情報によって検索を行うことにより複数のブランクキーの中から複製に供するブランクキーの候補を抽出するシステムであって、複製依頼を受けた者によって操作される端末と、端末とインターネットを介して接続されるサーバーとからなる。前記サーバーは制御部と記憶部とを有し、前記記憶部には、複数のブランクキーについてそれぞれのブランクキーを検索するための複数の検索項目にわたる検索情報とそれぞれのブランクキーとを対応付けるとともに各ブランクキーについて名称および形態に関わる詳細情報を蓄積するデータベースが記憶されている。前記制御部は、前記端末より送られてきた前記検索情報により検索を行って複製に供するブランクキーの候補を抽出する手段と、抽出されたブランクキーの候補の前記詳細情報を前記データベースより取得する手段と、取得した詳細情報を前記端末へ送信する手段とを備えている。前記検索項目には、ブランクキーのブレード部分に設けられる位置決め用の溝の本数と位置とを特定することが可能な溝コードが含まれている。
【０００８】
この発明の上記した構成において、複製元の鍵は、玄関の扉錠、ロッカーの扉錠、自動車の錠など、種々の錠を施錠、解錠するための鍵を含む。また、前記端末はパソコンの他にスマートフォンのような携帯端末を含むもので、携帯端末の場合は基地局を介してインターネットに接続される。
【０００９】
複製依頼を受けた業者が端末を操作し、サーバーに対して検索要求を行って少なくとも１個の検索情報を入力すると、サーバーの制御部は、その端末よりインターネットを介して送られてきた検索情報によって検索を行うことにより複製に供するブランクキーの候補を抽出し、その抽出されたブランクキーの候補の名称と詳細情報とをデータベースより取得して端末へ送信する。
前記端末より溝コードが入力されると、サーバーの制御部は、端末よりインターネットを介して送られてきた溝コードと一致する溝コードのブランクキーを検索して抽出する。その抽出されたブランクキーと元鍵とは、ブレード部分に設けられる位置決め用の溝の本数および位置が一致するものである。
【００１０】
この発明の好ましい実施態様においては、前記溝コードは、溝の本数と位置とに加えて、さらに溝形状を特定することが可能な構成のものである。
この実施態様においては、元鍵のブレード部分に設けられている位置決め用の溝と本数、位置、および溝形状において一致するブランクキーを抽出できる。
【発明の効果】
【００１１】
この発明によれば、元鍵から得られる検索情報を端末から入力するだけで、熟練者でなくても容易かつ短時間で複製に供するブランクキーの候補を抽出することができ、鍵の複製依頼に迅速に対応することが可能である。特に、ブランクキーの候補を検索するに際して、元鍵と一致している必要のある位置決め用の溝の本数および位置、さらには、形状についての検索情報を簡単に入力することが可能であるので、検索のための検索情報の入力作業を効率よく行うことができる。
また、任意の端末からインターネットを介してサーバーに接続すること可能であるから、地域を問わず鍵の複製依頼に広く対応でき、さらに、データベースの蓄積データは随時、更新可能であるから、どの端末からでも最新のデータに基づく検索が可能である。
【図面の簡単な説明】
【００１２】
【図１】この発明に係るブランクキー検索システムの構成を示すブロック図である。
【図２】ブランクキー検索システムの原理を示す説明図である。
【図３】サーバーの機能を示すブロック図である。
【図４】データベースのデータ構成を示す説明図である。
【図５】クライエント端末のモニタに表示される検索画面を示す説明図である。
【図６】クライエント端末のモニタに表示される検索応答画面を示す説明図である。
【図７】クライエント端末のモニタに表示されるブランクキーの候補の詳細情報を示す説明図である。
【図８】ブランクキーの表裏両面のブレード部分に設けられる位置決め用の溝の具体例を示す正面図と背面図である。
【図９】図８のブランクキーに設けられた表裏の溝と溝コードとの関係を示す説明図である。
【図１０】溝形状をさらにコード化した実施例についての溝形状と溝コードとの関係を示す説明図である。
【図１１】複数種のブランクキーについてブレード部分の溝と溝コードとの関係を示す説明図である。
【図１２】クライエント端末の制御部による制御の流れを示すフローチャートである。
【図１３】サーバーの制御部による制御の流れを示すフローチャートである。
【図１４】鍵のブレード部分の形態を示す正面図と側面図である。
【発明を実施するための形態】
【００１３】
図１はこの発明の一実施例であるブランクキー検索システムの構成を、図２はブランクキー検索システムの原理を、それぞれ示している。このブランクキー検索システムは、図２に示すように、元鍵１から得られる少なくとも１個の検索項目（図示例では、元鍵１のメーカー名、ヘッド部分の形状、用途、ブレード部分の各サイズ、溝コードなど）についての検索情報に基づいてデータベースＤＢに登録されている既成の多種類のブランクキーの中から検索条件に合ったブランクキーの候補９Ａ〜９Ｅを検索して抽出するためのものであり、サーバー２と、複製の依頼を受けた者によってブランクキーの検索のために操作されるクライエント端末３と、前記サーバー２の管理者によって操作されるデータ入力用の端末４とを含んでいる。複数のクライエント端末３やデータ入力用の端末４はインターネット５を介してサーバー２に接続されている。
【００１４】
クライエント端末３は、パソコンとスマートフォンのような携帯端末とを含み、そのいずれによっても上記のブランクキーの検索が可能である。携帯端末は図示しない基地局を介してインターネット５に接続される。
前記サーバー２は、制御部２１と記憶部２０とを有する。制御部２１はＣＰＵを制御・演算の主体とするコンピュータにより構成されている。記憶部２０には、複数のブランクキーについてそれぞれのブランクキーを検索するための複数の検索項目にわたる検索情報とそれぞれのブランクキーとを対応付けるとともに、各ブランクキーについて名称および形態に関わる詳細情報を蓄積するためのデータベースが記憶されている。制御部２１は、メモリに読み込まれたプログラムをＣＰＵが解読実行して、後述する各手段（図３に示す各手段２２〜２６）の機能を実現する。
【００１５】
前記クライエント端末３を構成するパソコンの制御部３１およびデータ入力用の端末４を構成するパソコンの制御部４１は、同様にＣＰＵを制御・演算の主体とし、メモリに読み込んだプログラムを解読実行するとともに、モニタ３２，４２、キーボード、マウスなどの入力装置３３，４３、プリンタ３４，４４などの入出力動作を一連に制御する。なお、図示していないが、クライエント端末３を構成する携帯端末もコンピュータを内蔵し、ブランクキーの検索に必要な各種の機能を果たす。また、データ入力用の端末４は、上記したパソコンに限らず、スマートフォンのような携帯端末であってもよい。
【００１６】
図３は、サーバー２の制御部２１が実現する手段を示す機能ブロック図である。また、図４は、サーバー２の記憶部２０に記憶されたデータベースＤＢのデータ構成を示している。サーバー２の制御部２１は、登録手段２２、検索手段２３、情報読出手段２４、第１、第２の送信手段２５，２６などの手段として機能する。登録手段２２は、データ入力用の端末４より新たに登録するブランクキーについてのデータを受信したときそのデータを記憶部２０に書き込んでデータベースＤＢに蓄積する。
【００１７】
前記のデータベースＤＢは、図４（１）（２）に示すように、登録されたそれぞれのブランクキーを検索するための複数の検索項目にわたる検索情報とそれぞれのブランクキーとを対応付けるためのデータベースＤＢ１と、各ブランクキーについて名称およびブランクキーの形態に関わる詳細情報を蓄積するためのデータベースＤＢ２とを含んでいる。データベースＤＢに登録される全てのブランクキーには個別のＩＤが割り当てられ、このＩＤを介して図４（１）のデータベースＤＢ１と図４（２）のデータベースＤＢ２とが関連付けられている。
【００１８】
図４（１）に示すＤＢ１には、検索項目としてメーカー名、ヘッド部分の形状、用途、サイズ（ブレード部分の幅、長さ、厚みなど）、図１４に示した位置決め用の溝１０の本数と位置とを特定することが可能な溝コードなどが含まれており、元鍵１から得られる少なくとも１個の検索項目についての検索情報によって該当するブランクキーのＩＤが検索されて抽出される。
【００１９】
図４（２）に示すデータベースＤＢには、ＩＤにより関連付けられる各ブランクキーの詳細情報として、ブランクキーの名称（例えば、ブランクキーのメーカー名、型番、品番など）、ブランクキーの外観を示す図面の画像データ、ブランクキーの形態を特定するブレード部分の幅、長さ、厚みなどのデータが蓄積されている。検索によってブランクキーのＩＤが抽出されると、該当するＩＤのブランクキーについての詳細情報がデータベースＤＢ２より読み出される。
【００２０】
図３に戻って、第１の送信手段２５は、クライエント端末３に対して複数の検索項目について検索情報を入力するための検索画面情報を送信する。
図５は、その検索画面情報によりクライエント端末３のモニタ３２に表示される検索画面６の具体例を示すもので、前記したメーカー名、ヘッド部分の形状、用途、サイズ（ブレード部分の厚み、幅、長さなど）、溝コードなどの入力が可能になっている。なお、図中、６１，６２は、検索情報の入力後に操作される検索を指示するためのキーである。６３，６４は、入力した検索情報をリセットするためのリセットキーである。
【００２１】
図３に示す検索手段２３は、クライエント端末３より１以上の検索項目についての検索情報を受信したとき、その検索情報によって検索を行うことによりデータベースＤＢに登録されている多数のブランクキーの中から検索条件に合ったブランクキーの候補を検索して抽出する。情報読出手段２４は、抽出されたブランクキーの候補についてブランクキーの名称および形態に関わる詳細情報をデータベースＤＢより読み出して検索応答画面情報を作成する。第２の送信手段は、作成された検索回答画面情報をクライエント端末３へ送信する。
【００２２】
図６は、上記した検索回答画面情報によりクライエント端末３のモニタ３２に表示される検索応答画面７の具体例を示すもので、入力済みの検索画面６に加えて、各ブランクキーの候補（図示例では８件の候補）の名称７１（図示例では型番や品番）とブランクキーの表裏面および先端面の外観を示す図面の画像７２，７３，７４が表示されている。この実施例では、各ブランクキーの形態を特定するブレード部分の厚み、幅、長さなどのデータは、検索応答画面７の中の詳細キー７５をクリックすることにより表示されるもので、図７にその表示例が示してある。なお、図６において、拡大キー７６をクリックすると、画像７２〜７４が拡大されて表示される。
【００２３】
図８（１）（２）は、ブランクキー９の外観を具体的に示したものであり、表面のブレード部分９１には２本の位置決め用の溝９０ａ，９０ｂが長さ方向に設けられるとともに（図８（１））、裏面のブレード部分９１にも１本の位置決め用の溝９０ｃが長さ方向に設けられている（図８（２））。なお、図中、９２はブランクキーのヘッド部分である。
表面側の一方の溝９０ａは、図９（１）に示すように、ブレード部分９１の左側縁に位置し、他方の溝９０ｂは、前記溝９０ａと接した未加工部分９３Ａと右側縁に位置する未加工部分９３Ｂとの間に挟まれて位置している。
裏面側の溝９０ｃは、図９（２）に示すように、ブレード部分９１の右側縁に位置し、左側縁に位置する未加工部分９３ｃと接している。
【００２４】
前記した溝コードは、上記した溝９０ａ〜９０ｃの本数と位置とを特定することが可能な構成のものであり、図８および図９に示したブランクキー９においては、表面側の溝コードは「１０１０」、裏面側の溝コードは「０１」である。
溝コードの「１０１０」や「０１」において、「１」は溝を、「０」は未加工部分を、それぞれ表しており、表面側の溝コード「１０１０」と裏面側の溝コード「０１」によって、表面のブレード部分９１には左側縁から右側縁にかけて「溝９０ａ」「未加工部分９３ａ」「溝９０ｂ」「未加工部分９３ｂ」が連続して存在し、裏面のブレード部分９１には左側縁から右側縁にかけて、「未加工部分９３ｃ」「溝９０ｃ」が連続して存在する、と認識することができる。
【００２５】
この実施例で用いられる溝コードは、位置決め用の溝の本数と位置とを特定することが可能な構成のものであるが、溝の本数と位置とに加えて、さらに溝形状をも特定することが可能な構成とすることもでき、図１０および図１１にその具体例が示したものである。
【００２６】
図１０に示す具体例では、矩形の溝９０は「１」で表し、両側傾斜のＶ字状の溝９０は「２」で表し、片側傾斜のＶ字状の溝９０は「３」「４」で表し、円形の溝９０は「５」で表すようにしている。
【００２７】
図１１（１）〜（４）は、図１０の表記法に基づく溝コードの具体例を示している。
図１１（１）は、左側縁から右側縁にかけて「未加工部分９３ａ」「溝９０ａ」「未加工部分９３ｂ」「溝９０ｂ」が連続して存在するもので、溝９０ａは両側傾斜のＶ字溝、溝９０ｂは矩形溝であるから、溝コードは「０２０１」となる。
図１１（２）は、左側縁から右側縁にかけて「未加工部分９３ａ」「溝９０ａ」「未加工部分９３ｂ」「溝９０ｂ」が連続して存在するもので、溝９０ａ，９０ｂはいずれも矩形溝であるから、溝コードは「０１０１」となる。
図１１（３）は、左側縁から右側縁にかけて「未加工部分９３ａ」「溝９０ａ」「溝９０ｂ」「未加工部分９３ｂ」が連続して存在するもので、溝９０ａは左側傾斜のＶ字溝、溝９０ｂは矩形溝であるから、溝コードは「０４１０」となる。
図１１（４）は、左側縁から右側縁にかけて「未加工部分９３ａ」「溝９０ａ」「溝９０ｂ」が連続して存在するもので、溝９０ａは矩形溝、溝９０ｂも矩形溝であるから、溝コードは「０１１」となる。
図１１（５）は、左側縁から右側縁にかけて「未加工部分９３ａ」「溝９０ａ」「未加工部分９３ｂ」「溝９０ｂ」「未加工部分９３ｃ」が連続して存在するもので、溝９０ａ，９０ｂはいずれも両側傾斜のＶ字溝であるから、溝コードは「０２０２０」となる。
なお、図示していないが、溝に代えて凸条が設けられた鍵やブランクキーについても上記と同様のコード化が可能である。
【００２８】
図１２は、クライエント端末３の制御部３１による制御の流れを示している。同図中、「ＳＴ」は「ＳＴＥＰ」の略であり、制御の流れにおける手順を示している。同図のＳＴ１において、複製依頼を受けた業者がログインすると、ＳＴ１の判定が「ＹＥＳ」であり、モニタ３２に図５に示した検索画面６が表示される。この検索画面６に対して少なくとも１個、望ましくは複数の検索項目について検索情報が入力されて検索条件が設定された後、検索キー６１または６２がクリックされると、ＳＴ３，４がともに「ＹＥＳ」となり、入力された検索情報が検索要求とともにインターネット５を介してサーバー２へ送られる（ＳＴ５）。
【００２９】
サーバー２において検索が実行された後、サーバー２より検索応答画面情報を受信すると、ＳＴ６の判定が「ＹＥＳ」となり、モニタ３２に図６に示した検索応答画面７が表示される。複製依頼を受けた業者は、検索応答画面７に表示されたブランクキーの候補について、詳細キー７５をクリックして詳細情報を確認しつつ（ＳＴ８，９）、複製に供するブランクキーを選択する。
【００３０】
以上で複製に供するブランクキーの検索を完了する場合は図示しない終了キーを押してログアウトする（ＳＴ１０が「ＹＥＳ」）。もし、次の検索を行うときは、リセットキー６３または６４をクリックし（ＳＴ１１が「ＹＥＳ」）、モニタ３２に図５の検索画面６を表示させる。
【００３１】
図１３は、サーバー２の制御部２１よる制御の流れを示している。同図のＳＴ１において、クライエント端末３において複製依頼を受けた業者がログインすると、ＳＴ１の判定が「ＹＥＳ」であり、第１の送信手段２５はクライエント端末３に対して検索画面情報を送信する（ＳＴ２）。次に、クライエント端末３より検索要求とともに検索情報が送られてくると、ＳＴ３が「ＹＥＳ」であり、制御部２１の検索手段２３は前記検索情報により検索を行うことにより複製に供するブランクキーの候補を抽出する（ＳＴ４，５）。次のＳＴ５では、情報読出手段２４は、抽出されたブランクキーの候補についてブランクキーの名称および形態に関わる詳細情報をデータベースＤＢより読み出して検索応答画面情報を作成し（ＳＴ６）、第２の送信手段２６はその検索回答画面情報をクライエント端末３へ送信する（ＳＴ７）。
【符号の説明】
【００３２】
２    サーバー
３    クライエント端末
５    インターネット
２０  記憶部
２１  制御部
ＤＢ  データベース
【図１】
2015052242.tif 000003
【図２】
2015052242.tif 000004
【図３】
2015052242.tif 000005
【図４】
2015052242.tif 000006
【図５】
2015052242.tif 000007
【図６】
2015052242.tif 000008
【図７】
2015052242.tif 000009
【図８】
2015052242.tif 000010
【図９】
2015052242.tif 000011
【図１０】
2015052242.tif 000012
【図１１】
2015052242.tif 000013
【図１２】
2015052242.tif 000014
【図１３】
2015052242.tif 000015
【図１４】
2015052242.tif 000016